(57)【特許請求の範囲】
【請求項１】
ＲＦ入力信号が入力される入力端子と、
ＲＦ出力信号を出力する出力端子と、
前記入力端子に入力が接続され、前記入力端子を介して入力されたＲＦ入力信号の振幅を第１の利得で増幅し、得られた第１の増幅信号を出力する第１のパワーアンプと、
前記出力端子に出力が接続され、前記第１の増幅信号に基づいた信号を第２の利得で増幅し、得られた第２の増幅信号を出力する第２のパワーアンプと、
前記第２の増幅信号を低域又は帯域でフィルタリングしたフィルタ信号を出力するフィルタと、
前記ＲＦ入力信号から生成される第１の比較信号の第１の振幅と、前記フィルタ信号から生成される第２の比較信号の第２の振幅とを比較し、この比較結果に基づいた振幅比較信号を出力する振幅比較器と、
前記フィルタ信号の振幅を減衰させて得られた信号を前記第２の比較信号として出力する減衰器と、
前記ＲＦ入力信号を第３の利得で増幅し、得られた信号を前記第１の比較信号として出力するバッファと、
前記第１のパワーアンプの前記第１の利得、前記第３の利得、前記振幅比較器の利得、又は、前記減衰器の減衰率の少なくとも何れか１つを調整する制御回路と、を備え、
前記第２のパワーアンプは、前記振幅比較信号に応じて、前記第１の振幅と前記第２の振幅とが等しくなるように、前記第２の利得を調整し、
前記制御回路は、前記第１の振幅が予め設定された閾値よりも小さい場合には、前記第１の利得を上げ、及び／又は前記第３の利得を上げる
ことを特徴とする電力増幅装置。
【請求項２】
前記フィルタは、前記出力端子と前記振幅比較器の入力との間に接続され、
前記ＲＦ出力信号は、前記第２の増幅信号であることを特徴とする請求項１に記載の電力増幅装置。
【請求項３】
前記フィルタは、前記第２のパワーアンプの出力と前記出力端子との間に接続され、
前記ＲＦ出力信号は、前記フィルタ信号であることを特徴とする請求項１に記載の電力増幅装置。
【請求項４】
前記制御回路は、
前記第１の振幅が前記第２の振幅より大きい場合には、前記第１の利得を下げ、又は前記減衰率を上げ、一方、前記第１の振幅が前記第２の振幅より小さい場合には、前記第１の利得を上げ又は前記減衰率を下げる
ことを特徴とする請求項１に記載の電力増幅装置。
【請求項５】
ＲＦ入力信号が入力される入力端子と、
ＲＦ出力信号を出力する出力端子と、
前記入力端子に入力が接続され、前記入力端子を介して入力されたＲＦ入力信号の振幅を第１の利得で増幅し、得られた第１の増幅信号を出力する第１のパワーアンプと、
前記出力端子に出力が接続され、前記第１の増幅信号に基づいた信号を第２の利得で増幅し、得られた第２の増幅信号を出力する第２のパワーアンプと、
前記第２の増幅信号を低域又は帯域でフィルタリングしたフィルタ信号を出力するフィルタと、
前記ＲＦ入力信号から生成される第１の比較信号の第１の振幅と、前記フィルタ信号から生成される第２の比較信号の第２の振幅とを比較し、この比較結果に基づいた振幅比較信号を出力する振幅比較器と、
前記第１の比較信号の第１の位相と、前記第２の比較信号の第２の位相とを比較し、この比較結果に基づいた位相比較信号を出力する位相比較器と、を備え、
前記第２のパワーアンプは、前記振幅比較信号に応じて、前記第１の振幅と前記第２の振幅とが等しくなるように、前記第２の利得を調整し、
前記第２のパワーアンプは、前記位相比較信号に応じて、前記第１の比較信号と前記第２の比較信号との間の位相差が予め設定された目標値になるように、前記第１の増幅信号に基づいた前記信号と前記第２の増幅信号との間の位相差を調整し、
前記位相比較器は、
前記第１の比較信号が入力され、前記第１の比較信号の振幅を設定値に制限した第１のリミット信号を出力する第１のリミッタ回路と、
前記第２の比較信号が入力され、前記第２の比較信号の振幅を前記設定値に制限した第２のリミット信号を出力する第２のリミッタ回路と、
前記第１のリミット信号と前記第２のリミット信号とを混合し、得られた信号を前記位相比較信号として出力するミキサ回路と、を有し、
前記電力増幅装置は、
前記位相比較信号に応じて、前記ミキサ回路のオフセット及び／又は極性を調整する制御回路をさらに備える
ことを特徴とする電力増幅装置。
【請求項６】
前記第２のパワーアンプは、
前記第１の増幅信号に基づいた前記信号が一端に入力され、接地に他端が接続され、前記位相比較信号により容量値が制御される可変容量と、
前記振幅比較信号が一端に入力され、前記可変容量の一端に他端が接続された抵抗と、
前記接地にソースが接続され、前記抵抗の他端にゲートが接続され、前記第２の増幅信号をドレインから出力するｎＭＯＳトランジスタと、を有する
ことを特徴とする請求項５に記載の電力増幅装置。
【請求項７】
前記振幅比較器は、
前記第１の比較信号の振幅を検出し、この検出結果に応じた第１の振幅検出信号を出力する第１の振幅検出回路と、
前記第２の比較信号の振幅を検出し、この検出結果に応じた第２の振幅検出信号を出力する第２の振幅検出回路と、
前記第１の振幅検出信号と前記第２の振幅検出信号とを比較し、この比較結果に応じた信号を前記振幅比較信号として出力するオペアンプと、を有する
ことを特徴とする請求項５に記載の電力増幅装置。
【請求項８】
前記第１のパワーアンプの出力は、前記第２のパワーアンプの入力に接続され、
前記第２のパワーアンプは、前記第１の増幅信号が入力され、入力された前記第１の増幅信号を増幅し、得られた信号を前記第２の増幅信号として出力する
ことを特徴とする請求項５に記載の電力増幅装置。
【発明の詳細な説明】
【技術分野】
【０００１】
電力増幅装置に関する。
【背景技術】
【０００２】
従来、入力されたＲＦ信号を増幅して出力する電力増幅装置がある。
【先行技術文献】
【特許文献】
【０００３】
【特許文献１】米国特許７４８６１３７号明細書
【特許文献２】米国特許７３５８８０７号明細書
【発明の概要】
【発明が解決しようとする課題】
【０００４】
ＲＦ出力信号の歪みを低減することが可能な電力増幅装置を提供する。
【課題を解決するための手段】
【０００５】
実施形態に従った電力増幅装置は、ＲＦ入力信号が入力される入力端子を備える。電力増幅装置は、ＲＦ出力信号を出力する出力端子を備える。電力増幅装置は、前記入力端子に入力が接続され、前記入力端子を介して入力されたＲＦ入力信号の振幅を第１の利得で増幅し、得られた第１の増幅信号を出力する第１のパワーアンプを備える。電力増幅装置は、前記出力端子に出力が接続され、前記第１の増幅信号に基づいた信号を第２の利得で増幅し、得られた第２の増幅信号を出力する第２のパワーアンプを備える。電力増幅装置は、前記第２の増幅信号を低域又は帯域でフィルタリングしたフィルタ信号を出力する出力するフィルタを備える。電力増幅装置は、前記ＲＦ入力信号から生成される第１の比較信号の第１の振幅と、前記フィルタ信号から生成される第２の比較信号の第２の振幅とを比較し、この比較結果に基づいた振幅比較信号を出力する振幅比較器を備える。
【０００６】
前記第２のパワーアンプは、前記振幅比較信号に応じて、前記第１の振幅と前記第２の振幅とが等しくなるように、前記第２の利得を調整する。
【図面の簡単な説明】
【０００７】
【図１】図１は、第１の実施形態に係る電力増幅装置１００の構成の一例を示す図である。
【図２】図２は、第１の実施形態の変形例に係る電力増幅装置１００Ａの構成の一例を示す図である。
【図３】図３は、第２の実施形態に係る電力増幅装置２００の構成の一例を示す図である。
【図４】図４は、第３の実施形態に係る電力増幅装置３００の構成の一例を示す図である。
【図５】図５は、第４の実施形態に係る電力増幅装置４００の構成の一例を示す図である。
【図６】図６は、図５に示す第２のパワーアンプＰＡ２の構成の一例を示す回路図である。
【発明を実施するための形態】
【０００８】
以下、実施形態について図面に基づいて説明する。
【第１の実施形態】
【０００９】
図１は、第１の実施形態に係る電力増幅装置１００の構成の一例を示す図である。
【００１０】
図１に示すように、電力増幅装置１００は、入力端子Ｔｉｎと、出力端子Ｔｏｕｔと、  第１のパワーアンプＰＡ１と、第２のパワーアンプＰＡ２と、フィルタＦと、振幅比較器ＡＣと、減衰器ＡＴＴと、バッファＢと、を備える。
【００１１】
入力端子Ｔｉｎは、ＲＦ入力信号ＲＦｉｎが入力されるようになっている。
【００１２】
出力端子Ｔｏｕｔは、ＲＦ出力信号ＲＦｏｕｔを出力するようになっている。
【００１３】
第１のパワーアンプＰＡ１は、入力端子Ｔｉｎに入力が接続されている。この第１のパワーアンプＰＡ１は、入力端子Ｔｉｎを介して入力されたＲＦ入力信号ＲＦｉｎの振幅を第１の利得で増幅し、得られた第１の増幅信号Ｓａ１を出力するようになっている。
【００１４】
第２のパワーアンプＰＡ２は、出力端子Ｔｏｕｔに出力が接続されている。この第２のパワーアンプＰＡ２は、第１の増幅信号Ｓａ１に基づいた信号を第２の利得で増幅し、得られた第２の増幅信号Ｓａ２を出力するようになっている。
【００１５】
なお、図１に示す例では、第１のパワーアンプＰＡ１の出力は、第２のパワーアンプＰＡ２の入力に接続されている。そして、第２のパワーアンプＰＡ２は、第１の増幅信号Ｓａ１が入力され、入力された第１の増幅信号Ｓａ１を増幅し、得られた信号を第２の増幅信号Ｓａ２として出力するようになっている。
【００１６】
しかし、第１のパワーアンプＰＡ１の出力と第２のパワーアンプＰＡ２の入力との間に、１つ又は複数段の他のパワーアンプが備えられてもよい。この場合、第１の増幅信号Ｓａ１は、１つ又は複数段の他のパワーアンプにより増幅され、得られた信号（すなわち、第１の増幅信号Ｓａ１から生成された信号）が第２のパワーアンプＰＡ２に入力される。
【００１７】
また、バッファＢは、入力が入力端子Ｔｉｎに接続されている。このバッファＢは、ＲＦ入力信号ＲＦｉｎが入力され、このＲＦ入力信号ＲＦｉｎを第３の利得で増幅し、得られた信号を第１の比較信号Ｓ１として出力するようになっている。
【００１８】
すなわち、第１の比較信号Ｓ１は、バッファＢにより、ＲＦ入力信号ＲＦｉｎから生成される。なお、このバッファＢは、省略されてもよい。この場合、ＲＦ入力信号ＲＦｉｎが第１の比較信号Ｓ１に相当する。
【００１９】
フィルタＦは、第２の増幅信号Ｓａ２を低域又は帯域でフィルタリングしたフィルタ信号ＳＦを出力する出力するようになっている。
【００２０】
このフィルタＦは、例えば、図１に示すように、出力端子Ｔｏｕｔと振幅比較器ＡＣの入力との間に接続されている。この場合、ＲＦ出力信号ＲＦｏｕｔは、第２の増幅信号Ｓａ２である。
【００２１】
減衰器ＡＴＴは、フィルタ信号ＳＦが入力され、このフィルタ信号ＳＦの振幅を減衰させて得られた信号を第２の比較信号Ｓ２として出力するようになっている。
【００２２】
すなわち、第２の比較信号Ｓ１は、フィルタＦ及び減衰器ＡＴＴにより、第２の増幅信号Ｓａ２から生成される。なお、この減衰器ＡＴＴは、省略されてもよい。この場合、フィルタ信号ＳＦが第２の比較信号Ｓ２に相当する。
【００２３】
振幅比較器ＡＣは、ＲＦ入力信号ＲＦｉｎから生成される第１の比較信号Ｓ１の第１の振幅と、フィルタ信号ＳＦから生成される第２の比較信号Ｓ２の第２の振幅とを比較し、この比較結果に基づいた振幅比較信号Ｓｇを出力するようになっている。
【００２４】
この振幅比較器ＡＣは、例えば、図１に示すように、第１の振幅検出回路ＡＤ１と、第２の振幅検出回路ＡＤ２と、オペアンプＯＰと、を有する。
【００２５】
第１の振幅検出回路ＡＤ１は、入力がバッファＢの出力に接続され、第１の比較信号Ｓ１が入力されるようになっている。また、振幅検出回路ＡＤ１は、出力がオペアンプＯＰの非反転入力端子に接続されている。
【００２６】
この第１の振幅検出回路ＡＤ１は、第１の比較信号Ｓ１の振幅を検出し、この検出結果に応じた第１の振幅検出信号ＳＡＤ１を出力するようになっている。
【００２７】
なお、例えば、第１の振幅検出信号ＳＡＤ１は、第１の比較信号Ｓ１の振幅に応じた電圧である。
【００２８】
また、第２の振幅検出回路ＡＤ２は、入力が減衰器ＡＴＴの出力に接続され、出力がオペアンプＯＰの反転入力端子に接続されている。
【００２９】
この第２の振幅検出回路ＡＤ２は、第２の比較信号Ｓ２の振幅を検出し、この検出結果に応じた第２の振幅検出信号ＳＡＤ２を出力するようになっている
なお、例えば、第２の振幅検出信号ＳＡＤ２は、第２の比較信号Ｓ２の振幅に応じた電圧である。
【００３０】
また、オペアンプＯＰは、第１の振幅検出信号ＳＡＤ１と第２の振幅検出信号ＳＡＤ２とを比較し、この比較結果に応じた信号を振幅比較信号Ｓｇとして出力するようになっている。
【００３１】
そして、第２のパワーアンプＰＡ２は、このオペアンプＯＰが出力した振幅比較信号Ｓｇに応じて、第１の比較信号Ｓ１の第１の振幅と第２の比較信号Ｓ２の第２の振幅とが等しくなるように、その第２の利得を調整する。
【００３２】
以上のように、電力増幅装置１００は、２段以上のパワーアンプからなるパワーアンプ回路の入力と出力を減衰したＲＦ信号の振幅を検出し、それらを比較する。その結果を最終段のパワーアンプにフィードバックする。これにより、パワーアンプ回路の利得が減衰器の減衰比と一致するように制御することができる。
【００３３】
すなわち、電力増幅装置１００は、ＲＦ入力信号ＲＦｉｎの入力に対して線形的に変化するＲＦ出力信号することができる。これにより、ＲＦ出力信号ＲＦｏｕｔの歪みを低減することができる。
【００３４】
以上のように、本実施形態に係る電力増幅装置によれば、ＲＦ出力信号の歪みを低減することができる。
【００３５】
なお、フィルタＦの位置は、図１に示す例と異なっていてもよい。ここで、図２は、第１の実施形態の変形例に係る電力増幅装置１００Ａの構成の一例を示す図である。
【００３６】
図２に示すように、フィルタＦは、例えば、第２のパワーアンプＰＡ２の出力と出力端子Ｔｏｕｔとの間に接続されていてもよい。この場合、ＲＦ出力信号ＲＦｏｕｔは、フィルタ信号ＳＦである。
【００３７】
電力増幅装置１００Ａのその他の構成・機能は、図１に示す電力増幅装置１００と同様であり、同様の作用効果を奏することができる。
【００３８】
以下の実施形態においても、図２に示すようにしてフィルタＦを第２のパワーアンプＰＡ２の出力と出力端子Ｔｏｕｔとの間に接続するようにしてもよい。
【第２の実施形態】
【００３９】
図３は、第２の実施形態に係る電力増幅装置２００の構成の一例を示す図である。なお、図３において、図１の符号と同じ符号は、第１の実施形態と同様の構成を示す。
【００４０】
図３に示すように、電力増幅装置２００は、第１の実施形態に係る電力増幅装置１００と比較して、制御回路ＣＯＮをさらに備える。
【００４１】
この制御回路ＣＯＮは、振幅比較信号Ｓｇ、又は、第１、第２の振幅検出信号ＳＡＤ１、ＳＡＤ２が入力されるようになっている（すなわち、制御回路ＣＯＮは、第１の比較信号Ｓ１の第１の振幅と第２の比較信号Ｓ２の第２の振幅の大小関係に関する情報を取得可能になっている）。
【００４２】
この制御回路ＣＯＮは、制御信号ＳＢ、ＳＰＡ１、ＳＡＴＴ、ＳＯＰを出力して、第１の比較信号Ｓ１の第１の振幅と第２の比較信号Ｓ２の第２の振幅とが等しくなるように、第１のパワーアンプＰＡ１の第１の利得、第３の利得、振幅比較器ＡＣの利得、又は、減衰器ＡＴＴの減衰率の少なくとも何れか１つを調整するようになっている。
【００４３】
例えば、制御回路ＣＯＮは、第１の振幅が第２の振幅より大きい場合には、第１の利得を下げ、又は、第３の利得を下げ、又は、振幅比較器ＡＣの利得を下げ、又は減衰率を上げる。
【００４４】
一方、制御回路ＣＯＮは、第１の振幅が第２の振幅より小さい場合には、第１の利得を上げ、又は、第３の利得を上げ、又は、振幅比較器ＡＣの利得を上げ、又は減衰率を下げる。
【００４５】
これにより、第１の比較信号Ｓ１の第１の振幅と第２の比較信号Ｓ２の第２の振幅とが等しくなるように制御され、第１、第２のパワーアンプＰＡ１、ＰＡ２の利得と減衰器ＡＴＴの減衰率が等しくなるように制御されることとなる。すなわち、ＲＦ出力信号ＲＦｏｕｔの歪みを低減することができる。
【００４６】
また、制御回路ＣＯＮは、第１の比較信号Ｓ１が入力されるようになっている。そして、制御回路ＣＯＮは、第１の比較信号Ｓ１の第１の振幅が予め設定された閾値よりも小さい場合には、第１の利得を上げ、及び／又は第３の利得を上げる。
【００４７】
電力増幅装置２００は、ＲＦ入力信号ＲＦｉｎの振幅が或るレベルよりも小さい場合、十分に入力と出力の差を補正できない（ループ利得が小さい）。
【００４８】
そこで、制御回路ＣＯＮは、ＲＦ入力信号ＲＦｉｎの振幅が予め設定された閾値よりも小さい場合、減衰比と利得が一致するように、キャリブレーションをする。
【００４９】
これにより、十分に入力と出力の差をより適切に補正できるようになる。
【００５０】
なお、電力増幅装置２００のその他の構成及び機能は、第１の実施形態の電力増幅装置１００と同様である。
【００５１】
すなわち、本実施形態に係る電力増幅装置によれば、第１の実施形態と同様に、ＲＦ出力信号の歪みを低減することができる。
【第３の実施形態】
【００５２】
より好ましくは、ＲＦ出力信号の振幅の歪みを低減するだけでなく、ＲＦ出力信号の位相の歪みに関しても別途線形化する必要がある。
【００５３】
そこで、本実施形態では、ＲＦ出力信号の位相の歪みを低減するための構成の一例について説明する。
【００５４】
図４は、第３の実施形態に係る電力増幅装置３００の構成の一例を示す図である。なお、図４において、図１の符号と同じ符号は、第１の実施形態と同様の構成を示す。
【００５５】
図４に示すように、電力増幅装３００は、第１の実施形態に係る電力増幅装置１００と比較して、位相比較器ＰＣをさらに備える。
【００５６】
位相比較器ＰＣは、第１の比較信号Ｓ１の第１の位相と、第２の比較信号Ｓ２の第２の位相とを比較し、この比較結果に基づいた位相比較信号Ｓｃを出力するようになっている。すなわち、この位相比較信号Ｓｃには、第１の比較信号Ｓ１の第１の位相と、第２の比較信号Ｓ２の第２の位相との関係に関する情報が含まれる。
【００５７】
この位相比較器ＰＣは、例えば、図４に示すように、第１のリミッタ回路Ｌ１と、第２のリミッタ回路Ｌ２と、ミキサ回路Ｍと、を有する。
【００５８】
第１のリミッタ回路Ｌ１は、第１の比較信号Ｓ１が入力されるようになっている。この第１のリミッタ回路Ｌ１は、第１の比較信号Ｓ１の振幅を予め決められた設定値に制限した第１のリミット信号を出力するようになっている。
【００５９】
第２のリミッタ回路Ｌ２は、第２の比較信号Ｓ２が入力され、第２の比較信号Ｓ２の振幅を該設定値に制限した第２のリミット信号を出力するようになっている
【００６０】
ミキサ回路Ｍは、第１のリミット信号と第２のリミット信号とを混合し、得られた混合信号を位相比較信号Ｓｃとして出力するようになっている。
【００６１】
ここで、第２のパワーアンプＰＡ２は、位相比較信号Ｓｃに応じて、第１の比較信号Ｓ１と第２の比較信号Ｓ２と間の位相差が予め設定された目標値なるように、第１の増幅信号Ｓａ１に基づいた信号（ここでは、第１の増幅信号Ｓａ１）と第２の増幅信号Ｓａ２との間の位相差を調整する。
【００６２】
ここで、この場合における第２のパワーアンプＰＡ２の構成の一例について説明する。図５は、図４に示す第２のパワーアンプＰＡ２の構成の一例を示す回路図である。
【００６３】
図５に示すように、第２のパワーアンプＰＡ２は、可変容量Ｃと、抵抗Ｒと、ｎＭＯＳトランジスタＴｒと、を有する。    
可変容量Ｃは、第１の増幅信号Ｓａ１に基づいた信号（ここでは第１の増幅信号Ｓａ１）が一端に入力され、接地に他端が接続されている。この可変容量Ｃは、位相比較信号Ｓｃにより容量値が制御されるようになっている。
【００６４】
抵抗Ｒは、振幅比較信号Ｓｇが一端に入力され、可変容量Ｃの一端に他端が接続されている。
【００６５】
ｎＭＯＳトランジスタＴｒは、接地にソースが接続され、抵抗Ｒの他端にゲートが接続されている。このｎＭＯＳトランジスタＴｒは、第２の増幅信号Ｓａ２をドレインから出力するようになっている。
【００６６】
例えば、位相比較信号Ｓｃにより、可変容量Ｃの容量値が大きくなるように制御されると、第１の増幅信号Ｓａ１の位相を基準として、第２の増幅信号Ｓａ２の位相が遅くなるように制御される。
【００６７】
一方、位相比較信号Ｓｃにより、可変容量Ｃの容量値が小さくなるように制御されると、第１の増幅信号Ｓａ１の位相を基準として、第２の増幅信号Ｓａ２の位相が早くなるように制御される。
【００６８】
このように、第２のパワーアンプＰＡ２の位相は、可変容量（Varactor）で制御することができる。
【００６９】
既述のように、より好ましくは、振幅だけでなく、位相に関しても別途線形化する必要がある。
【００７０】
そこで、振幅と同様に入力と出力の位相を比較して、その位相（差）が等しくなるように、最終段のパワーアンプの位相を調整する。位相の検出には、リミッタにより振幅を一定とし、ミキサ回路により位相を比較することができる。その比較した結果での位相を制御し、位相差が一定となるようにすることができる。
【００７１】
通常、振幅の異なる信号の位相（差）を正しく検出するのは回路自身の出力位相が振幅に依存してしまう問題により困難である。しかし、電力増幅装置３００においては、第１の比較信号Ｓ１と第２の比較信号Ｓ２の振幅が等しくなるように制御される。
【００７２】
これにより、第１、第２のリミッタ回路Ｌ１、Ｌ２には、振幅が等しくなるように制御された第１、第２の比較信号Ｓ１、Ｓ２が入力される。したがって、第１、第２のリミッタ回路Ｌ１、Ｌ２の能力が低くても、より正確に位相（差）を検出することができる。
【００７３】
なお、電力増幅装置３００のその他の構成及び機能は、第１の実施形態の電力増幅装置１００と同様である。
【００７４】
すなわち、本実施形態に係る電力増幅装置によれば、第１の実施形態と同様に、ＲＦ出力信号の歪みを低減することができる。
【第４の実施形態】
【００７５】
本第４の実施形態においては、ミキサ回路のオフセット及び／又は極性を調整するための構成例について、説明する。
【００７６】
図６は、第４の実施形態に係る電力増幅装置４００の構成の一例を示す図である。なお、図６において、図４の符号と同じ符号は、第３の実施形態と同様の構成を示す。また、図６においては、制御回路ＣＯＮが位相比較器ＰＣを制御する構成を記載している。さらに、図６において、制御回路ＣＯＮの構成のうち、図４に示す構成と同様の部分は省略している。すなわち、第４の実施形態における制御回路ＣＯＮは、図６に示す構成に加えて、第３の実施形態で説明した構成・機能をも備える。
【００７７】
図６に示すように、電力増幅装置４００は、第３の実施形態に係る電力増幅装置３００と同様に、制御回路ＣＯＮを備える。
【００７８】
この制御回路ＣＯＮは、位相比較信号Ｓｃに応じて、ミキサ回路Ｍのオフセット及び／又は極性を調整するようになっている。
【００７９】
例えば、ミキサ回路Ｍにおいて、第１の比較信号Ｓ１と第２の比較信号Ｓ２の位相差は、必ずしもπ／２ではない。
【００８０】
このため、ミキサ回路Ｍの出力は、絶えずオフセットが存在する。さらに、第１の比較信号Ｓ１と第２の比較信号Ｓ２の位相のどちらが進んでいるかによって、制御する向きも変える必要がある。
【００８１】
そこで、制御回路ＣＯＮは、ミキサ回路の出力である位相比較信号Ｓｃが、例えば、適当な電圧になるように、極性、及び／又はオフセットを制御する。
【００８２】
これにより、位相比較器ＰＣは、より適切に位相比較信号Ｓｃを出力することができる。すなわち、第２のパワーアンプＰＡ２は、この位相比較信号Ｓｃに基づいて、より適切に位相を制御することができる。
【００８３】
なお、電力増幅装置４００のその他の構成及び機能は、第３の実施形態の電力増幅装置３００と同様である。
【００８４】
すなわち、本実施形態に係る電力増幅装置によれば、第３の実施形態と同様に、ＲＦ出力信号の歪みを低減することができる。
【００８５】
なお、実施形態は例示であり、発明の範囲はそれらに限定されない。
【符号の説明】
【００８６】
１００、１００Ａ、２００、３００、４００  電力増幅装置
Ｔｉｎ  入力端子
Ｔｏｕｔ  出力端子  
ＰＡ１  第１のパワーアンプ
ＰＡ２  第２のパワーアンプ
Ｆ  フィルタ
ＡＣ  振幅比較器
ＡＴＴ  減衰器
Ｂ  バッファ
【図１】
0005624569.tif 000002
【図２】
0005624569.tif 000003
【図３】
0005624569.tif 000004
【図４】
0005624569.tif 000005
【図５】
0005624569.tif 000006
【図６】
0005624569.tif 000007